(57)【要約】【課題】操作パネルが使用中であっても、その使用中のユーザの操作を阻害することなく、携帯端末に指示された画面を表示させることができるジョブ処理装置およびそのプログラム。【解決手段】  携帯端末から、該携帯端末に表示中の画面に関連する補助画面の表示指示を受信したとき、自装置の使用状態から自装置の表示部に該補助画面を表示させるか否かを判断し、自装置の表示部に該補助画面を表示させると判断した場合は、自装置の表示部に該補助画面を表示させる補助画面表示処理を行い、自装置の表示部に該補助画面を表示させないと判断した場合は、所定の外部装置に該補助画面を表示させる代理表示処理を行う。【選択図】図６
2016159495.tif 000002
【特許請求の範囲】
【請求項１】
通信部と、
ジョブの投入操作を受け付ける操作部と、
各種の画面を表示するための表示部と、
投入されたジョブを実行するジョブ処理部と、
自装置の使用状態を取得する状態取得部と、
制御部と、
を備え、
前記制御部は、携帯端末から前記携帯端末に表示中の画面に関連する補助画面の表示指示を前記通信部が受信したとき、前記状態取得部によって取得された自装置の使用状態から前記表示部に前記補助画面を表示させるか否かを判断し、前記表示部に前記補助画面を表示させると判断した場合は、前記表示部に前記補助画面を表示させる補助画面表示処理を行い、前記表示部に前記補助画面を表示させないと判断した場合は、所定の外部装置に前記補助画面を表示させる代理表示処理を行う
ことを特徴とするジョブ処理装置。
【請求項２】
前記携帯端末が表示中の画面は、自装置にジョブを投入するためのリモート操作画面である
ことを特徴とする請求項１に記載のジョブ処理装置。
【請求項３】
１または２以上の外部装置を登録する登録部をさらに備え、
前記所定の外部装置は、前記登録部に登録されている外部装置の中から選ばれる
ことを特徴とする請求項１または２に記載のジョブ処理装置。
【請求項４】
前記所定の外部装置は、当該ジョブ処理装置の周辺を検索して見出された外部装置の中から選ばれる
ことを特徴とする請求項１または２に記載のジョブ処理装置。
【請求項５】
前記代理表示処理では、前記補助画面を表示させることが可能な外部装置が２台以上ある場合は、そのうちの１台に前記補助画面を表示させ、他の１台に前記補助画面に関連する関連画面を表示させる
ことを特徴とする請求項１乃至４のいずれか１つに記載のジョブ処理装置。
【請求項６】
前記制御部は、前記表示指示を前記通信部が受信したとき、前記ジョブ処理部がジョブを実行中、もしくは前記操作部がユーザによって使用されている状態であれば、前記表示部に前記補助画面を表示させないと判断し、前記代理表示処理を行う
ことを特徴とする請求項１乃至５のいずれか１つに記載のジョブ処理装置。
【請求項７】
前記制御部は、前記表示指示を前記通信部が受信したとき、前記ジョブ処理部がジョブの実行中であるが、前記操作部がユーザによって使用されていない場合は、前記表示部に前記補助画面を表示させると判断し、前記補助画面表示処理を行う
ことを特徴とする請求項１乃至５のいずれか１つに記載のジョブ処理装置。
【請求項８】
前記制御部は、前記ジョブ処理部がジョブの実行中に前記補助画面表示処理を行う場合は、前記補助画面表示処理にて、前記ジョブ処理部によるジョブの処理状況を示すステータス情報を、前記補助画面と共に前記表示部に表示させる
ことを特徴とする請求項１乃至５、および請求項７のいずれか１つに記載のジョブ処理装置。
【請求項９】
自装置の動作モードを、通常モードと、前記通常モード時よりも電力消費の少ない省電力モードとに切り替える動作モード切り替え部をさらに備え、
前記制御部は、前記表示指示を前記通信部が受信したとき、自装置の動作モードが前記省電力モードである場合は、前記表示部を前記補助画面が表示可能な状態に復帰させ、前記補助画面処理を行う
ことを特徴とする請求項１乃至８のいずれか1つに記載のジョブ処理装置。
【請求項１０】
前記制御部は、前記補助画面の表示に使用する部分以外は省電力モードの状態を維持して前記復帰を行う
ことを特徴とする請求項９に記載のジョブ処理装置。
【請求項１１】
前記携帯端末と前記所定の外部装置との間の距離を取得する距離取得部をさらに備え、
前記制御部は、前記距離取得部が取得した距離の値が、所定値より小さい場合に前記代理表示処理を行う
ことを特徴とする請求項１乃至１０のいずれか１つに記載のジョブ処理装置。
【請求項１２】
通信部と、
ジョブの投入操作を受け付ける操作部と、
各種の画面を表示するための表示部と、
投入されたジョブを実行するジョブ処理部と、
自装置の使用状態を取得する状態取得部と、
を備えるジョブ処理装置を、
携帯端末から前記携帯端末に表示中の画面に関連する補助画面の表示指示を前記通信部が受信したとき、前記状態取得部によって取得された自装置の使用状態から前記表示部に前記補助画面を表示させるか否かを判断し、前記表示部に前記補助画面を表示させると判断した場合は、前記表示部に前記補助画面を表示させる補助画面表示処理を行い、前記表示部に前記補助画面を表示させないと判断した場合は、所定の外部装置に前記補助画面を表示させる代理表示処理を行うように動作させる
ことを特徴とするプログラム。
【請求項１３】
前記携帯端末が表示中の画面は、自装置にジョブを投入するためのリモート操作画面である
ことを特徴とする請求項１２に記載のプログラム。
【請求項１４】
前記ジョブ処理装置は１または２以上の外部装置を登録する登録部をさらに備え、
前記所定の外部装置は、予め前記登録部に登録されている外部装置の中から選ばれる
ことを特徴とする請求項１２または１３に記載のプログラム。
【請求項１５】
前記ジョブ処理装置を、自装置の周辺を検索して見出された外部装置の中から、前記所定の外部装置を選ぶように動作させる
ことを特徴とする請求項１２または１３に記載のプログラム。
【請求項１６】
前記代理表示処理では、前記補助画面を表示させる対象となる前記所定の外部装置が２台以上ある場合、そのうちの１台に前記補助画面を表示させ、他の外部装置には前記補助画面に関連する関連画面を表示させる
ことを特徴とする請求項１２乃至１５のいずれか１つに記載のプログラム。
【請求項１７】
前記ジョブ処理装置を、前記表示指示を前記通信部が受信したとき、前記ジョブ処理部がジョブを実行中、もしくは前記操作部がユーザによって使用されている状態であれば、前記表示部に前記補助画面を表示させないと判断し、前記代理表示処理を行うように動作させる
ことを特徴とする請求項１２乃至１６のいずれか１つに記載のプログラム。
【請求項１８】
前記ジョブ処理装置を、前記表示指示を前記通信部が受信したとき、前記ジョブ処理部がジョブの実行中であるが、前記操作部がユーザによって使用されていない場合は、前記表示部に前記補助画面を表示させると判断し、前記補助画面表示処理を行うように動作させる
ことを特徴とする請求項１２乃至１６のいずれか１つに記載のプログラム。
【請求項１９】
前記ジョブ処理装置を、前記ジョブ処理部がジョブの実行中に前記補助画面表示処理を行う場合は、前記補助画面表示処理にて、前記ジョブ処理部によるジョブの処理状況を示すステータス情報を、前記補助画面と共に前記表示部に表示させるように動作させる
ことを特徴とする請求項１２乃至１６、および請求項１８のいずれか１つに記載のプログラム。
【請求項２０】
自装置の動作モードを、通常モードと、前記通常モード時よりも電力消費の少ない省電力モードとに切り替える動作モード切り替え部をさらに備える前記ジョブ処理装置を、
前記表示指示を前記通信部が受信したとき、自装置の動作モードが前記省電力モードである場合は、前記表示部を前記補助画面が表示可能な状態に復帰させ、前記補助画面処理を行うように動作させる
ことを特徴とする請求項１２乃至１９のいずれか1つに記載のプログラム。
【請求項２１】
前記ジョブ処理装置を、前記補助画面の表示に使用する部分以外は省電力モードの状態を維持して前記復帰を行うように動作させる
ことを特徴とする請求項２０に記載のプログラム。
【請求項２２】
前記携帯端末と前記所定の外部装置との間の距離を取得する距離取得部をさらに備える前記ジョブ処理装置を、
前記距離取得部が取得した距離の値が、所定値より小さい場合に前記代理表示処理を行う前記距離取得部が取得した距離の値が、所定値より小さい場合に前記判断を行うように動作させる
ことを特徴とする請求項１２乃至２１のいずれか１つに記載のプログラム。
【発明の詳細な説明】
【技術分野】
【０００１】
本発明は、携帯端末からの指示に従って補助画面を表示させるジョブ処理装置およびそのプログラムに関する。
【背景技術】
【０００２】
近年、携帯端末の普及、発展に伴い、携帯端末を、プリンタやスキャナ、ファクシミリ等の機能を備える画像処理装置などの複合機（ＭＦＰ（Multi Function Peripheral））が具備する操作パネルの代わりとして使用する技術や、携帯端末を該操作パネルの拡張デバイスとして利用する技術が多数提案されている。
【０００３】
たとえば、複合機などの画像処理装置が備える操作パネルと、ユーザの携帯端末とを連携動作させて使用する方法が特許文献１に開示されている。特許文献１では、操作パネルに表示した画面に関連する画面を、該操作パネルに並置された携帯端末に表示させることで、表示領域を実質的に拡張し、ユーザの視認性を向上させることが可能となる。
【０００４】
他にも、印刷設定に係る画面を操作パネルの代わりに携帯端末に表示させ、該画面に対して行われた設定操作の内容を複合機に反映させる方法がある。また、この方法では、携帯端末で印刷設定に係る設定操作を受け付けている途中で、その印刷設定に係るヘルプ画面を操作パネルに表示させれば、ユーザが操作パネルに表示された該ヘルプ画面を参照しつつ携帯端末にて印刷設定を行うことができるので、ユーザの利便性をより向上させることができる。
【先行技術文献】
【特許文献】
【０００５】
【特許文献１】特開２０１３−０８８５０６号公報
【発明の概要】
【発明が解決しようとする課題】
【０００６】
しかし、携帯端末にて印刷設定に係る設定操作を行っているユーザが、該印刷設定に係るヘルプ画面を複合機の操作パネルに表示させようとした際に、該複合機の操作パネルが既に他のユーザによって使用されていることがある。この場合、複合機の操作パネルにヘルプ画面を表示させることができない、あるいは操作パネルにそのままヘルプ画面を表示させると使用中の他のユーザに不便を与えてしまう。
【０００７】
本発明は、操作パネルが使用中であっても、その使用中のユーザの操作を阻害することなく、携帯端末に指示された画面を表示させることのできるジョブ処理装置およびそのプログラムを提供することを目的としている。
【課題を解決するための手段】
【０００８】
かかる目的を達成するための本発明の要旨とするところは、次の各項の発明に存する。
【０００９】
［１］通信部と、
ジョブの投入操作を受け付ける操作部と、
各種の画面を表示するための表示部と、
投入されたジョブを実行するジョブ処理部と、
自装置の使用状態を取得する状態取得部と、
制御部と、
を備え、
前記制御部は、携帯端末から前記携帯端末に表示中の画面に関連する補助画面の表示指示を前記通信部が受信したとき、前記状態取得部によって取得された自装置の使用状態から前記表示部に前記補助画面を表示させるか否かを判断し、前記表示部に前記補助画面を表示させると判断した場合は、前記表示部に前記補助画面を表示させる補助画面表示処理を行い、前記表示部に前記補助画面を表示させないと判断した場合は、所定の外部装置に前記補助画面を表示させる代理表示処理を行う
ことを特徴とするジョブ処理装置。
【００１０】
上記発明では、携帯端末から該携帯端末に表示中の画面に関連する補助画面の表示指示を受信したとき、自装置の使用状態から自装置の表示部に該補助画面を表示させるか否かを判断し、該表示部に該補助画面を表示させると判断した場合は、該表示部に該補助画面を表示させる補助画面表示処理を行い、該表示部に該補助画面を表示させないと判断した場合は、所定の外部装置に該補助画面を表示させる代理表示処理を行う。たとえば、他のユーザが自装置を使用中の場合に、代理表示処理を行うようにすれば、その使用中のユーザの操作を阻害することなく、携帯端末に指示された補助画面を表示させることができる。
【００１１】
［２］前記携帯端末が表示中の画面は、自装置にジョブを投入するためのリモート操作画面である
ことを特徴とする［１］に記載のジョブ処理装置。
【００１２】
上記発明では、携帯端末が表示中の画面は、自装置にジョブを投入するためのリモート操作画面であり、本発明のジョブ処理装置は、該リモート操作画面に関連する補助画面の表示指示を携帯端末から受ける。
【００１３】
［３］１または２以上の外部装置を登録する登録部をさらに備え、
前記所定の外部装置は、前記登録部に登録されている外部装置の中から選ばれる
ことを特徴とする［１］または［２］に記載のジョブ処理装置。
【００１４】
上記発明では、１または２以上の外部装置を登録しておき、その登録された外部装置の中から、代理表示処理にて補助画面を表示させる外部装置を決定する。
【００１５】
［４］前記所定の外部装置は、当該ジョブ処理装置の周辺を検索して見出された外部装置の中から選ばれる
ことを特徴とする［１］または［２］に記載のジョブ処理装置。
【００１６】
上記発明では、所定の外部装置は、自装置の周辺を検索して見出された外部装置の中から選ばれる。
【００１７】
［５］前記代理表示処理では、前記補助画面を表示させることが可能な外部装置が２台以上ある場合は、そのうちの１台に前記補助画面を表示させ、他の１台に前記補助画面に関連する関連画面を表示させる
ことを特徴とする［１］乃至［４］のいずれか１つに記載のジョブ処理装置。
【００１８】
上記発明では、代理表示処理にて補助画面を表示させる外部装置の候補が２台以上ある場合、そのうちの１台に補助画面を表示させ、他の外部装置のうちの１台には補助画面に関連する関連画面を表示させる。２台の外部装置を使用するので、表示領域が拡張され、携帯端末を使用するユーザが参照することができる情報量を増やすことができる。
【００１９】
［６］前記制御部は、前記表示指示を前記通信部が受信したとき、前記ジョブ処理部がジョブを実行中、もしくは前記操作部がユーザによって使用されている状態であれば、前記表示部に前記補助画面を表示させないと判断し、前記代理表示処理を行う
ことを特徴とする［１］乃至［５］のいずれか１つに記載のジョブ処理装置。
【００２０】
上記発明では、ジョブ処理部がジョブを実行中、もしくは操作部がユーザによって使用されている状態であれば、表示部に補助画面を表示させないと判断して、代理表示処理を行う。すなわち、他のユーザが自装置を使用中であれば、代理表示処理を行う。これにより、その使用中のユーザの操作を阻害することなく、携帯端末に指示された画面を表示させることができる。
【００２１】
［７］前記制御部は、前記表示指示を前記通信部が受信したとき、前記ジョブ処理部がジョブの実行中であるが、前記操作部がユーザによって使用されていない場合は、前記表示部に前記補助画面を表示させると判断し、前記補助画面表示処理を行う
ことを特徴とする［１］乃至［５］のいずれか１つに記載のジョブ処理装置。
【００２２】
上記発明では、ジョブ処理部がジョブの実行中であるが、操作部がユーザによって使用されていない場合は、表示部に補助画面を表示させると判断し、補助画面表示処理を行う。ジョブが実行中であっても操作部が使用されていなければ、該ジョブを投入したユーザが表示部を見ていない可能性が高いので、補助画面表示処理にて、自装置の表示部に補助画面を表示する。
【００２３】
［８］前記制御部は、前記ジョブ処理部がジョブの実行中に前記補助画面表示処理を行う場合は、前記補助画面表示処理にて、前記ジョブ処理部によるジョブの処理状況を示すステータス情報を、前記補助画面と共に前記表示部に表示させる
ことを特徴とする［１］乃至［５］、および［７］のいずれか１つに記載のジョブ処理装置。
【００２４】
上記発明では、ジョブ処理部がジョブの実行中に補助画面表示処理を行う場合は、補助画面表示処理にて、ジョブ処理部によるジョブの処理状況を示すステータス情報を、補助画面と共に前記表示部に表示させる。これにより、実行中のジョブを投入したユーザは、ジョブの処理状況を確認することができる。
【００２５】
［９］自装置の動作モードを、通常モードと、前記通常モード時よりも電力消費の少ない省電力モードとに切り替える動作モード切り替え部をさらに備え、
前記制御部は、前記表示指示を前記通信部が受信したとき、自装置の動作モードが前記省電力モードである場合は、前記表示部を前記補助画面が表示可能な状態に復帰させ、前記補助画面処理を行う
ことを特徴とする［１］乃至［８］のいずれか1つに記載のジョブ処理装置。
【００２６】
上記発明では、携帯端末から表示指示を受信したとき、自装置の動作モードが省電力モードである場合は、補助画面処理を行う。すなわち、省電力モード時は、他のユーザによって使用されていない状態であると判断し、自装置の表示部に補助画面を表示する。
【００２７】
［１０］前記制御部は、前記補助画面の表示に使用する部分以外は省電力モードの状態を維持して前記復帰を行う
ことを特徴とする［９］に記載のジョブ処理装置。
【００２８】
上記発明では、携帯端末から表示指示を受信したとき、自装置の動作モードが省電力モードである場合は、省電力モードを維持したまま、自装置の一部のみ省電力状態から復帰させ、補助画面処理を行う。これにより、通常モードに復帰させる場合に比べて消費電力を抑えることができる。
【００２９】
［１１］前記携帯端末と前記所定の外部装置との間の距離を取得する距離取得部をさらに備え、
前記制御部は、前記距離取得部が取得した距離の値が、所定値より小さい場合に前記代理表示処理を行う
ことを特徴とする［１］乃至［１０］のいずれか１つに記載のジョブ処理装置。
【００３０】
上記発明では、携帯端末と所定の外部装置との間の距離が所定値より小さい場合に代理表示処理を行う。外部装置と携帯端末の位置が離れている場合は、該外部装置にて補助画面を表示しても、携帯端末を保持するユーザが視認することができない可能性が高いので、代理表示処理を行わない。
【００３１】
［１２］通信部と、
ジョブの投入操作を受け付ける操作部と、
各種の画面を表示するための表示部と、
投入されたジョブを実行するジョブ処理部と、
自装置の使用状態を取得する状態取得部と、
を備えるジョブ処理装置を、
携帯端末から前記携帯端末に表示中の画面に関連する補助画面の表示指示を前記通信部が受信したとき、前記状態取得部によって取得された自装置の使用状態から前記表示部に前記補助画面を表示させるか否かを判断し、前記表示部に前記補助画面を表示させると判断した場合は、前記表示部に前記補助画面を表示させる補助画面表示処理を行い、前記表示部に前記補助画面を表示させないと判断した場合は、所定の外部装置に前記補助画面を表示させる代理表示処理を行うように動作させる
ことを特徴とするプログラム。
［１３］前記携帯端末が表示中の画面は、自装置にジョブを投入するためのリモート操作画面である
ことを特徴とする［１２］に記載のプログラム。
【００３２】
［１４］前記ジョブ処理装置は１または２以上の外部装置を登録する登録部をさらに備え、
前記所定の外部装置は、予め前記登録部に登録されている外部装置の中から選ばれる
ことを特徴とする［１２］または［１３］に記載のプログラム。
【００３３】
［１５］前記ジョブ処理装置を、自装置の周辺を検索して見出された外部装置の中から、前記所定の外部装置を選ぶように動作させる
ことを特徴とする［１２］または［１３］に記載のプログラム。
【００３４】
［１６］前記代理表示処理では、前記補助画面を表示させる対象となる前記所定の外部装置が２台以上ある場合、そのうちの１台に前記補助画面を表示させ、他の外部装置には前記補助画面に関連する関連画面を表示させる
ことを特徴とする［１２］乃至［１５］のいずれか１つに記載のプログラム。
【００３５】
［１７］前記ジョブ処理装置を、前記表示指示を前記通信部が受信したとき、前記ジョブ処理部がジョブを実行中、もしくは前記操作部がユーザによって使用されている状態であれば、前記表示部に前記補助画面を表示させないと判断し、前記代理表示処理を行うように動作させる
ことを特徴とする［１２］乃至［１６］のいずれか１つに記載のプログラム。
【００３６】
［１８］前記ジョブ処理装置を、前記表示指示を前記通信部が受信したとき、前記ジョブ処理部がジョブの実行中であるが、前記操作部がユーザによって使用されていない場合は、前記表示部に前記補助画面を表示させると判断し、前記補助画面表示処理を行うように動作させる
ことを特徴とする［１２］乃至［１６］のいずれか１つに記載のプログラム。
【００３７】
［１９］前記ジョブ処理装置を、前記ジョブ処理部がジョブの実行中に前記補助画面表示処理を行う場合は、前記補助画面表示処理にて、前記ジョブ処理部によるジョブの処理状況を示すステータス情報を、前記補助画面と共に前記表示部に表示させるように動作させる
ことを特徴とする［１２］乃至［１６］、および［１８］のいずれか１つに記載のプログラム。
【００３８】
［２０］自装置の動作モードを、通常モードと、前記通常モード時よりも電力消費の少ない省電力モードとに切り替える動作モード切り替え部をさらに備える前記ジョブ処理装置を、
前記表示指示を前記通信部が受信したとき、自装置の動作モードが前記省電力モードである場合は、前記表示部を前記補助画面が表示可能な状態に復帰させ、前記補助画面処理を行うように動作させる
ことを特徴とする［１２］乃至［１９］のいずれか1つに記載のプログラム。
【００３９】
［２１］前記ジョブ処理装置を、前記補助画面の表示に使用する部分以外は省電力モードの状態を維持して前記復帰を行うように動作させる
ことを特徴とする［２０］に記載のプログラム。
【００４０】
［２２］前記携帯端末と前記所定の外部装置との間の距離を取得する距離取得部をさらに備える前記ジョブ処理装置を、
前記距離取得部が取得した距離の値が、所定値より小さい場合に前記代理表示処理を行う前記距離取得部が取得した距離の値が、所定値より小さい場合に前記判断を行うように動作させる
ことを特徴とする［１２］乃至［２１］のいずれか１つに記載のプログラム。
【発明の効果】
【００４１】
本発明に係るジョブ処理装置およびそのプログラムによれば、操作パネルが使用中であっても、その使用中のユーザの操作を阻害することなく、携帯端末に指示された画面を表示させることができる。
【図面の簡単な説明】
【００４２】
【図１】本発明の実施の形態に係る画像形成装置と、携帯端末を示す説明図である。
【図２】本発明の実施の形態に係る画像形成装置の概略構成を示すブロック図である。
【図３】本発明の実施の形態に係る携帯端末の概略構成を示すブロック図である。
【図４】携帯端末が補助画面の表示指示を送信するときに表示する画面の例を示す図である。
【図５】補助画面の表示指示を受けた画像形成装置が自装置の表示部に補助画面を表示する様子を示す図である。
【図６】補助画面の表示指示を受けた画像形成装置が、他の画像形成装置の表示部に補助画面を表示させる様子を示す図である。
【図７】ジョブを実行中の画像形成装置が、補助画面処理を行う場合の様子を示す図である。
【図８】２台の画像形成装置１０を使用して、代理表示処理を行う場合の様子を示す図である。
【図９】省電力モードの状態の画像形成装置が、補助画面処理を行う場合の様子を示す図である。
【図１０】各画像形成装置および携帯端末間でのコマンドのやり取りを示す図である。
【図１１】画像形成装置が行う処理を示す流れ図である。
【図１２】画像形成装置が行う省電力モードの場合の動作パターンも含めた処理を示す流れ図である。
【発明を実施するための形態】
【００４３】
以下、図面に基づき本発明の実施の形態を説明する。
【００４４】
図１は、本発明の実施の形態に係るジョブ処理システム５を示す。ジョブ処理システム５は、ＬＡＮ（Local Area Network）３を通じて、複数の画像形成装置１０（１０Ａ、１０Ｂ、１０Ｃ）と、携帯端末４０とを通信可能に接続して構成される。以後、画像形成装置１０Ａ、１０Ｂ１０Ｃを総称する、もしくは任意の１台を指す場合は、画像形成装置１０と記すものとする。
【００４５】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣ（Personal Computer）、から送出されたデータに係る画像を記録紙に印刷して出力するプリントジョブ（印刷ジョブ）などのジョブを実行する機能を備えた、所謂、複合機である。画像形成装置１０は、表示部３１と操作部３２を含む操作パネル３０を備え（図１、２参照）、この操作パネル３０を通じて、ユーザから各種の設定やジョブの投入に係る設定操作を受け付ける。なお、画像形成装置１０Ａが備える操作パネル３０を指す場合は操作パネル３０Ａ、画像形成装置１０Ｂが備える操作パネル３０を指す場合は操作パネル３０Ｂ、画像形成装置１０Ｃが備える操作パネル３０を指す場合は操作パネル３０Ｃと表記する。
【００４６】
携帯端末４０は、持ち歩きが可能な端末であり、表示部５１と操作部５２を含む操作表示部５０を備えている（図３参照）。携帯端末４０は、ユーザから印刷ジョブの作成に係る設定操作を受け付ける。携帯端末４０は印刷ジョブを作成したら、その印刷ジョブを画像形成装置１０に送信する機能を備える。
【００４７】
本発明の実施の形態では、携帯端末４０が、自端末に表示中の画面に関連する補助画面の表示指示を３台のうちいずれかの画像形成装置１０に送信する。該表示指示を受けた画像形成装置１０は、自装置の使用状態から自装置の表示部３１に補助画面を表示させるか否かを判断する。そして、自装置の表示部３１に補助画面を表示させると判断した場合は、自装置の表示部３１に補助画面を表示させる補助画面表示処理を行い、自装置の表示部３１に補助画面を表示させないと判断した場合は、他の画像形成装置１０の表示部３１に補助画面を表示させる代理表示処理を行う。これにより、たとえば、携帯端末４０から表示指示を受けた画像形成装置１０を他のユーザが使用中であっても、そのユーザの操作を阻害することなく、携帯端末４０に指示された補助画面を表示させることができる。
【００４８】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、補助画面制御部２１と、デバイス距離取得部２２と、デバイス状態取得部２３と、連携デバイス管理部２４と、操作パネル３０とを備えている。
【００４９】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００５０】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００５１】
ＲＡＭ１３は、ＣＰＵ１１がプログラムに基づいて処理を実行する際に各種のデータを一時的に格納するワークメモリや画像データを格納する画像メモリなどとして使用される。
【００５２】
不揮発メモリ１４は、電源をオフにしても記憶内容が破壊されないメモリ（フラッシュメモリ）であり、各種設定情報の保存などに使用される。
【００５３】
ハードディスク装置１５は、大容量の不揮発の記憶装置であり、ＯＳプログラムや各種アプリケーションプログラム、ユーザ情報、印刷データや画像データ、ジョブ履歴、各操作の重要度や各画面の重要度など連携表示を行う場合に主画面となる画面を判断する為に使用する各種情報などが保存される。
【００５４】
画像処理部１６は、画像の拡大縮小、回転などの処理のほか、印刷データをイメージデータに変換するラスタライズ処理、画像データの圧縮、伸張処理などを行う。
【００５５】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５６】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５７】
ファクシミリ通信部１９は、ファクシミリ機能を備えた外部装置と公衆回線を通じて画像データを送受信する機能を果たす。
【００５８】
ネットワーク通信部２０は、ＬＡＮなどのネットワークを通じて携帯端末４０や、その他の外部装置との間でデータを通信する機能を果たす。
【００５９】
補助画面制御部２１は、携帯端末４０から補助画面の表示指示に従って、該補助画面を生成する。補助画面の生成に必要な情報は携帯端末４０からの表示指示に含まれてもよいし、該表示指示とは別に携帯端末４０から取得してもよい。代理表示処理を行う場合、代理表示の指示の送信元が補助画面を生成してもよいし、該送信元の指示に従って送信先の装置が補助画面を生成してもよい。補助画面の生成に必要な情報としては、たとえば、携帯端末４０が表示中の画面の種類や、画面のＩＤ（Identification）などが挙げられる。
【００６０】
デバイス距離取得部２２は、無線通信や、ＧＰＳ（Global Positioning System）などによって取得した、携帯端末４０および他の画像形成装置１０の位置情報から、携帯端末４０と各画像形成装置１０の間の距離を検出する。自装置の位置情報は予め登録されている、あるいはＧＰＳで取得する。なお、携帯端末４０と各画像形成装置１０の間の距離を取得する方法は他の方法でもよい。
【００６１】
デバイス状態取得部２３は、自装置の使用状態を取得する状態取得部としての機能を果たす。たとえば、ジョブを実行中か否か、操作部３２がユーザによって使用されている状態か否かなどを調べる。ＣＰＵ１１は、デバイス状態取得部２３が取得した自装置の使用状態に基づいて、補助画面を自装置の表示部３１に表示するべきか否かを判断する。
【００６２】
連携デバイス管理部２４は、自装置の周辺を検索して、代理表示処理にて補助画面を表示させることが可能な外部装置（自装置以外の画像形成装置１０）を検出する。代理表示の指示の送信先は、その検索によって見出された外部装置の中から選ばれる。
【００６３】
前述の検索では、たとえば、自装置と同じネットワークに接続されている外部装置の中から、補助画面を表示可能な機能（画面の表示機能）を持ち、かつ、検索時に、他のユーザによって使用中でない外部装置を選出する。使用中であるか否かについての判定方法は後述する。なお、ＣＰＵ１１は、選出された外部装置と、携帯端末４０との距離を、デバイス距離取得部２２を使用して検出し、その距離が一定以上となる外部装置は代理表示の指示の送信先の候補から除外する。
【００６４】
本発明の実施の形態では、前述の方法にて選出された代理表示の指示の送信先の候補から、代理表示の指示の送信先を決定するものとするが、１または２以上の外部装置（他の画像形成装置１０）を予め登録しておき、その中から代理表示の指示の送信先を選ぶようにしてもよい。
【００６５】
操作パネル３０は、表示部３１と、操作部３２を備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００６６】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００６７】
なお、画像形成装置１０は、通常の電力モード（以後、通常電力モードと呼ぶ）と、通常電力モードよりも消費電力の少ない省電力モードとの切り替えを可能とする。
【００６８】
基本的には、画像形成装置１０は通常電力モードの状態で、操作を受けない状態やジョブを実行していない状態など、所謂、待機状態のまま一定時間が経過したら、省電力モードに切り替える。また、ユーザから省電力モードへの移行指示操作を受けた場合に、通常電力モードから省電力モードに移行するものとする。
【００６９】
画像形成装置１０は省電力モードの状態で、新たなジョブを受信した場合や、操作パネル３０にて操作を受けた場合に省電力モードから通常電力モードに復帰する。
【００７０】
本発明の実施の形態では、通常電力モード時は、画像形成装置１０を構成する全ての機構が給電された状態となり、省電力モード時は、通常電力モードに復帰するために必要な機構、すなわち、ジョブの受信や後述する代理表示の指示を受信に必要な機構や、操作パネル３０にて操作を受け付ける機構は給電される。さらに後述する代理表示の指示を受信するための機構も給電される。他の機構は給電されていない状態となる。
【００７１】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００７２】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００７３】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムが格納されている。
【００７４】
ＲＡＭ４３は、ＣＰＵ４１がプログラムに基づいて処理を実行する際に各種のデータを一時的に格納するワークメモリなどとして使用される。
【００７５】
不揮発メモリ４４は、電源をオフにしても記憶内容が破壊されないメモリ（フラッシュメモリ）であり、各種設定情報や、操作パネル３０と連携表示を行うためのプログラム（これを、操作表示アプリとする）などが記憶される。
【００７６】
ハードディスク装置４５は、大容量の不揮発の記憶装置であり、ＯＳプログラムや各種アプリケーションプログラムなどが保存される。
【００７７】
ネットワーク通信部４６は、ＬＡＮ３などのネットワークを通じて画像形成装置１０やその他の外部装置との間でデータを通信する機能を果たす。
【００７８】
操作表示部５０は、表示部５１と、操作部５２とを備えている。操作部５２は、スタートボタンや戻る釦などのスイッチ部５３とタッチパネル部５４とを備えている。表示部５１は、液晶ディスプレイなどで構成され、各種の操作画面、設定画面などを表示する機能を果たす。
【００７９】
タッチパネル部５４は、表示部５１上に設けられている。タッチパネル部５４は、タッチペンや指などで押下された表示部５１上のタッチ位置（座標位置）を検出する。ＣＰＵ４１は、継続的に検出されるタッチ位置の変化から、フリック操作やドラッグ操作、マルチタッチ操作などを認識する。
【００８０】
次に、携帯端末４０の動作および、画像形成装置１０の動作について説明する。なお、本発明の実施の形態では、本発明のジョブ処理装置としての役割を画像形成装置１０Ａが、所定の外部装置としての役割を画像形成装置１０Ｂ、１０Ｃが果たすものとして説明する。
【００８１】
図４は、携帯端末４０が表示する画面の例を示す。図４では、携帯端末４０は、画像形成装置１０に印刷ジョブを投入するためのリモート操作画面６１を表示している。リモート操作画面６１では、用紙サイズ、カラー/モノクロ、およびステープルの位置等の印刷条件を設定することができる。そして、携帯端末４０は、ユーザからジョブを送信する操作を受けた場合、その時点で設定されている印刷条件の印刷ジョブを、ユーザに指定された画像形成装置１０（実施の形態では画像形成装置１０Ａとする）に投入（送信）する。
【００８２】
リモート操作画面６１にてヘルプキー６０が押下された場合、携帯端末４０は、リモート操作画面６１に関連する補助画面であるヘルプ画面６２（図５参照）の表示指示を、ジョブの送信先として指定されている画像形成装置１０（実施の形態では画像形成装置１０Ａ）に送信する。ヘルプ画面６２は、リモート操作画面６１で設定可能な印刷条件について詳細な説明が記載されている画面である。
【００８３】
次に、ヘルプ画面６２の表示指示を受信した画像形成装置１０（実施の形態では画像形成装置１０Ａ）が行う動作について複数の具体例を挙げて説明する。
【００８４】
（具体例１、自装置が使用中でない場合）
画像形成装置１０Ａは、ヘルプ画面６２の表示指示を受信した際に、デバイス状態取得部２３を使用して自装置の使用状態の情報を取得する。実施の形態では、たとえば、操作部３２が最後に操作を受けてから所定時間が経過していない場合や、ジョブを投入する為の一連の操作を行うための画面を表示している場合、ジョブを実行中の場合は、自装置が使用中であると判断する。また、ジョブを投入する為の一連の操作を行うための画面を表示部３１にて表示しておらず、操作部３２が最後に操作を受けてから所定時間が経過した場合であってかつ、ジョブを実行していない場合は、自装置は使用中でないと判断する。他の方法で使用中か否かを判断してもよい。
【００８５】
画像形成装置１０は、自装置が使用中でないと判断した場合は、ヘルプ画面６２を自装置の表示部３１に表示すると判断し、ヘルプ画面６２を自装置の表示部３１に表示する補助画面表示処理を行う。図５は、画像形成装置１０Ａ（操作パネル３０Ａ）が補助画面表示処理によって操作パネル３０Ａにヘルプ画面６２を表示する様子を示す。図５では、ユーザは、操作パネル３０Ａに表示されたヘルプ画面６２を参照しながら、携帯端末４０にて設定操作を行うことができる。
【００８６】
（具体例２、自装置が使用中の場合）
画像形成装置１０Ａは、ヘルプ画面６２の表示指示を受信したとき、自装置が使用中であると判断した場合は、自装置の表示部３１にヘルプ画面６２を表示させないと判断し、他の画像形成装置１０にヘルプ画面６２を表示させる代理表示処理を行う。図６は、ヘルプ画面６２の表示指示を受けた画像形成装置１０Ａが代理表示処理によって、画像形成装置１０Ｂにヘルプ画面６２の代理表示を指示する様子を示す。
【００８７】
図６では、画像形成装置１０Ａは、自装置が他のユーザによって使用中であると判断しており、そのユーザの操作に応じた画面を操作パネル３０Ａに表示している。画像形成装置１０Ａは、自装置の表示部３１にヘルプ画面６２を表示させないと判断し、画像形成装置１０Ｂにヘルプ画面６２の代理表示を指示する。画像形成装置１０Ａからヘルプ画面６２の代理表示の指示を受けた画像形成装置１０Ｂは、画像形成装置１０Ａに代わってヘルプ画面６２を表示する。
【００８８】
代理表示処理を行う場合、ヘルプ画面６２の画面データは、画像形成装置１０Ａが生成してもよいし、画像形成装置１０Ａの指示を受けて画像形成装置１０Ｂが生成してもよい。本発明の実施の形態では画像形成装置１０Ａがヘルプ画面６２の画面データを生成し、画像形成装置１０Ｂに送信するものとする。
【００８９】
代理表示の指示の送信先は、前述したように、ＣＰＵ１１が連携デバイス管理部２４とデバイス距離取得部２２を使用して選出した代理表示の指示の送信先の候補の中から決定する。図６では、代理表示の指示の送信先として画像形成装置１０Ｂを例に説明したが、画像形成装置１０Ｃを送信先としてもよい。実施の形態では、デバイス距離取得部２２が取得した距離情報に基づいて、代理表示の指示の送信先の候補の中から、自装置から最も近い装置を送信先として決定するが、他の方法で送信先を決定してもよい。
【００９０】
なお、画像形成装置１０Ａは、画像形成装置１０Ｂにヘルプ画面６２の代理表示を行わせたら、画像形成装置１０Ｂがヘルプ画面６２の代理表示を行っている旨を携帯端末４０に通知する。
【００９１】
前述の通知を確認した携帯端末４０のユーザは、画像形成装置１０Ｂの場所まで移動すれば、操作パネル３０Ｂに表示されたヘルプ画面６２を参照しながら、携帯端末４０にて設定操作を行うことができる。また、画像形成装置１０Ａの表示部３１にヘルプ画面６２を表示しないので、画像形成装置１０を使用中の他のユーザの操作を阻害しない。
【００９２】
（具体例３、ジョブの実行中であるが操作部３２は使用されていない場合）
画像形成装置１０Ａは、ヘルプ画面６２の表示指示を受信したとき、自装置はジョブを実行中であるが、操作部３２は使用中でないと判断した場合、ヘルプ画面６２を自装置の表示部３１に表示する補助画面表示処理を行う。ここでは、ジョブの実行中であっても、操作部３２が使用中でなければ、他のユーザが表示部３１を見ている可能性が低いと判断し、補助画面表示処理にて、表示部３１にヘルプ画面６２を表示している。
【００９３】
画像形成装置１０Ａは、ジョブを投入する為の一連の操作を行うための画面を表示部３１が表示しておらず、操作部３２が最後に操作を受けてから所定時間が経過している場合に、操作部３２が使用中でないと判断する。
【００９４】
図７は、画像形成装置１０Ａが、ヘルプ画面６２の表示指示を受信した際に、自装置はジョブを実行中であるが、操作部３２は使用中でないと判断し、ヘルプ画面６２を操作パネル３０Ａに表示する補助画面表示処理を行う様子を示す。なお、図７では、画像形成装置１０Ａは、ヘルプ画面６２と共に、ジョブの処理状況を示すステータス情報６３を操作パネル３０Ａに表示している。
【００９５】
図７では、ユーザは、操作パネル３０Ａに表示されたヘルプ画面６２を参照しながら、携帯端末４０にて設定操作を行うことができる。また、ヘルプ画面６２と共に、ステータス情報６３が表示されているので、実行中のジョブを投入したユーザが、ジョブの処理状況を確認することもできる。
【００９６】
なお、ジョブを実行中であるが操作部３２は使用中でない画像形成装置１０は、代理表示の指示の送信先の候補となる。たとえば、補助画面の表示指示を受けた画像形成装置１０Ａが代理表示処理を行う場合に、ジョブを実行中であるが操作部３２は使用中でない状態の画像形成装置１０は、代理表示の指示の送信先の候補として検出される。ジョブを実行中であるが操作部３２は使用中でない状態の画像形成装置１０にて補助画面の代理表示を行う場合は、具体例３のようにステータス情報６３を併せて表示してもよい。
【００９７】
（具体例４、代理表示が可能な装置が２台以上ある場合）
具体例２では、代理表示処理にて、一台の画像形成装置１０にのみヘルプ画面６２を表示させていたが、具体例４では、２台の画像形成装置１０のうち、一台に補助画面を表示させ、もう一台に補助画面に関連する関連補助画面６４（図８参照）を表示させる。
【００９８】
画像形成装置１０は、ヘルプ画面６２の表示指示を受信した際に、自装置が使用中であると判断した場合は、その使用中のユーザの操作を阻害しないように、自装置の表示部３１にヘルプ画面６２を表示させないと判断し、他の画像形成装置１０にヘルプ画面６２を表示させる代理表示処理を行う。画像形成装置１０は、まず代理表示処理を行う前に、前述した方法でヘルプ画面６２の代理表示の指示の送信先の候補を検出する。
【００９９】
ヘルプ画面６２の代理表示の指示の送信先の候補（画像形成装置１０）を１台しか検出できなかった場合は、具体例２と同様の処理を行う。ヘルプ画面６２の代理表示の指示の送信先の候補を１台も検出できなかった場合は、補助画面の表示、および代理表示が不可能である旨を携帯端末４０に通知する。
【０１００】
ヘルプ画面６２の代理表示の指示の送信先の候補を２台以上（実施の形態では画像形成装置１０Ｂ、１０Ｃ）検出した場合、携帯端末４０にて、ユーザから関連補助画面６４の表示を行わせるか否かについての選択を受ける。関連補助画面６４の表示を行わないとの選択を受けた場合は、具体例２と同様の処理を行う。
【０１０１】
関連補助画面６４の表示を行うとの選択を受けた場合は、代理表示処理にて、代理表示の指示の送信先の候補のうちの一台にヘルプ画面６２（補助画面）の代理表示を指示し、他の装置のうちの一台にはヘルプ画面６２に関連する関連補助画面６４の表示を指示する。図８では、画像形成装置１０Ａが、画像形成装置１０Ｂにヘルプ画面６２（補助画面）を、画像形成装置１０Ｃに関連補助画面６４を表示させている。
【０１０２】
なお、代理表示の指示の送信先の候補が複数あるとき、どの外部装置（画像形成装置１０）に補助画面や関連補助画面６４を表示させるかをユーザが選択するようにしてもよいが、本実施の形態において、どの外部装置にヘルプ画面６２（補助画面）、および関連補助画面６４を表示させるのかを決定する方法については後述する。
【０１０３】
関連補助画面６４は、補助画面に関連する情報を表示する画面である。図８では、関連補助画面６４として印刷プレビューを示すプレビュー画面が表示されている。関連補助画面６４の生成は補助画面制御部２１が行う。代理表示が可能な画像形成装置１０を２台以上検出した場合に、関連補助画面６４の生成に必要な情報を改めて携帯端末４０から取得してもよいし、該情報がヘルプ画面６２の表示指示に予め含まれていてもよい。
【０１０４】
ヘルプ画面６２および関連補助画面６４が表示されたら、画像形成装置１０Ａは、自装置に代わってヘルプ画面６２と関連補助画面６４を表示している装置（ここでは、画像形成装置１０Ｂ、１０Ｃ）の情報（装置名や、設置位置など）を携帯端末４０に通知する。
【０１０５】
前述の通知を確認した携帯端末４０のユーザは、画像形成装置１０Ｂ、１０Ｃの設置場所まで移動すれば、操作パネル３０Ｂ、３０Ｃに表示されたヘルプ画面６２と関連補助画面６４を参照しながら、携帯端末４０にて設定操作を行うことができる。２台以上の画像形成装置１０を使用することで、ユーザが参照可能な情報の量を増やすことができる。また、画像形成装置１０Ａの表示部３１にヘルプ画面６２を表示しないので、画像形成装置１０を使用中の他のユーザの操作を阻害しない。
【０１０６】
なお、具体例４では、画像形成装置１０Ａが、補助画面の表示と関連補助画面６４の表示の双方を外部装置に指示する場合について説明していたが、画像形成装置１０Ａにて補助画面を表示しつつ（具体例１または３のようなケース）、外部装置に関連補助画面６４の表示を指示するようにしてもよい。
【０１０７】
たとえば、携帯端末４０が送信する補助画面の表示指示を受けた画像形成装置１０は、自装置にて補助画面が表示可能か否かを判断し、補助画面の表示が可能な場合は（具体例１、３に相当）、補助画面表示処理にて補助画面を表示する。さらに、画像形成装置１０Ａは、連携デバイス管理部２４とデバイス距離取得部２２を使用して関連補助画面６４を表示可能な外部装置を検索する。関連補助画面６４を表示可能な外部装置を検出した場合は、関連補助画面６４を外部装置に表示させるか否かを携帯端末４０に問い合わせ、その返答に応じて、検出された外部装置のうちの一台に関連補助画面６４の表示指示を送信するか否かを決定する。
【０１０８】
なお、補助画面の表示指示を受けた場合に、毎回、関連補助画面６４を表示可能な外部装置を検索するのではなく、補助画面に対応する関連補助画面６４があるか否かを調べて、関連補助画面６４があると判断した場合や、携帯端末４０が送信する補助画面の表示指示に、関連補助画面６４の表示指示が含まれている場合のみ、関連補助画面６４を表示可能な外部装置を検索するようにしてもよい。
【０１０９】
（具体例５、自装置が省電力モード中の場合）
具体例５では、画像形成装置１０Ａは、ヘルプ画面６２の表示指示を受信した際に、自装置が、省電力モードの状態であれば、表示部３１にヘルプ画面６２を表示可能となるよう自装置の一部のみを省電力状態から復帰させ、補助画面表示処理を行う。ここでは、自装置が省電力モード中なので、自装置は使用中ではないと判断し、自装置の表示部３１にヘルプ画面６２を表示させると判断している。
【０１１０】
図９は、省電力モード状態の画像形成装置１０Ａが、ヘルプ画面の表示指示を受けた場合に、自装置の一部のみ省電力状態から復帰させ、操作パネル３０Ａにヘルプ画面６２を表示する様子を示す。
【０１１１】
補助画面の表示指示を携帯端末４０から受けた省電力モードの状態の画像形成装置１０Ａは、補助画面を表示する表示部３１や、表示制御を行うＣＰＵ１１など、自装置のうち補助画面表示処理で使用する機構に給電を行う。なお、画像形成装置１０Ａは、補助画面の実行中は、省電力モード状態で初めから給電されている部分と、補助画面の表示に使用する部分以外は給電させず、省電力モードの状態を維持する。
【０１１２】
なお、図９では、画像形成装置１０Ａは、ヘルプ画面６２と共に、自装置が省電力モード中であることを示す電力モード情報６５を操作パネル３０Ａに表示している。図９では、ユーザは、操作パネル３０Ａに表示されたヘルプ画面６２を参照しながら、携帯端末４０にて設定操作を行うことができる。また、省電力モードの状態は維持されるので、通常電力モードに復帰する場合に比べて電力消費を抑えることができる。
【０１１３】
各画像形成装置１０で、補助画面もしくは関連補助画面６４の表示を行った場合、該表示を開始してから一定時間（たとえば、２分など）が経過、もしくはユーザの指示等によって、該表示を終了する。
【０１１４】
なお、省電力モード中の画像形成装置１０は、代理表示の指示の送信先の候補となる。たとえば、補助画面の表示指示を受けた画像形成装置１０Ａが代理表示処理を行う場合に、省電力モード中の画像形成装置１０は、代理表示の指示の送信先の候補として検出される。省電力モード中の画像形成装置１０にて補助画面の代理表示を行う場合は、具体例５のように電力モード情報６５を併せて表示してもよい。
【０１１５】
図１０は、ジョブ処理システム５において、携帯端末４０および各画像形成装置１０間でやりとりされるコマンドを示す。図中では、画像形成装置１０ＡをＭＦＰ（Ａ）、画像形成装置１０ＢをＭＦＰ（Ｂ）、画像形成装置１０ＣをＭＦＰ（Ｃ）と表記する。
【０１１６】
初めに、携帯端末４０が、ヘルプキー６０が押下されたことを検知したら、補助画面（ヘルプ画面６２）の表示指示を画像形成装置１０Ａに送信する（Ｔ１）。以下、図１０では、３つのケース別に携帯端末４０および各画像形成装置１０間でやりとりされるコマンドを示す。
【０１１７】
（ケース１、具体例１に相当）
補助画面の表示指示を受けた画像形成装置１０Ａは、自装置が使用中ではないと判断した場合、自装置の表示部３１に補助画面（ヘルプ画面６２）を表示する。その後、補助画面の表示を開始した旨を携帯端末４０に通知する（Ｔ２）。
【０１１８】
（ケース２、具体例４に相当）
補助画面の表示指示を受けた画像形成装置１０Ａは、自装置が使用中であると判断した場合、まず、前述した方法で、補助画面の代理表示の指示の送信先の候補を検索する。その後、複数の候補が検出された場合、いずれの装置に補助画面および関連補助画面６４を表示させるかを決定するための代理表示優先順位決定処理を行う。
【０１１９】
代理表示優先順位決定処理では、補助画面の代理表示の指示の送信先の候補の中から、補助画面の代理表示を指示する装置と、関連補助画面６４の表示を指示する装置を決定する。たとえば、検出した複数の装置に、自装置からの距離が近い順に優先度を設定し、優先度の最も高い装置を、補助画面の代理表示を指示する装置として決定し、次点の装置を関連補助画面６４の表示を指示する装置として決定する。図１０では、画像形成装置１０Ｂを補助画面の代理表示を指示する装置とし、画像形成装置１０Ｃを関連補助画面６４の表示を指示する装置とする。
【０１２０】
画像形成装置１０Ａは、代理表示優先順位決定処理にて、補助画面と関連補助画面６４の表示を指示する装置を決定したら、その決定した結果を通知するとともに（Ｔ３）、関連補助画面６４の表示を行うか否かを携帯端末４０に問い合わせる。その後、携帯端末４０は、ユーザから関連補助画面６４の表示を行うとの選択操作を受けたら、関連補助画面６４の生成に必要な情報を画像形成装置１０Ａに送信する（Ｔ４）。
【０１２１】
関連補助画面６４の生成に必要な情報は、たとえば、関連補助画面６４が図８に示すようなプレビュー画面である場合は、携帯端末４０にて設定されている内容などが該当する。
【０１２２】
画像形成装置１０Ａは、受信した情報に基づいて関連補助画面６４を生成したら、補助画面の代理表示の指示を画像形成装置１０Ｂに、関連補助画面６４の表示指示を画像形成装置１０Ｃに送信する（Ｔ５、Ｔ７）。補助画面の代理表示には補助画面の画面データが、関連補助画面６４の表示指示には関連補助画面６４の画面データが含まれているものとする。
【０１２３】
画像形成装置１０Ｂは、受信した指示に含まれている画面データを使用して自装置の表示部３１に補助画面（ヘルプ画面６２）を表示する。その後、補助画面の表示を開始した旨を画像形成装置１０Ａに通知する（Ｔ６）。
【０１２４】
画像形成装置１０Ｃは、受信した表示指示に含まれている画面データを使用して自装置の表示部３１に関連補助画面６４を表示する。その後、関連補助画面６４の表示を開始した旨を画像形成装置１０Ａに通知する（Ｔ８）。
【０１２５】
画像形成装置１０Ａは、補助画面の表示が開始された通知と、関連補助画面６４の表示が開始された通知の双方を受信したら、補助画面、および関連補助画面６４を表示している装置名を携帯端末４０に通知する（Ｔ９）。
【０１２６】
（ケース３、補助画面の表示が不可能な場合）
補助画面の表示指示を受けた画像形成装置１０Ａは、自装置が使用中であると判断した場合であってかつ、補助画面を代理表示の指示の送信先の候補となる外部装置（画像形成装置１０）を検出しなかった場合は、補助画面の表示が不可能である旨を携帯端末４０に通知する（Ｔ１０）。
【０１２７】
次に、補助画面の表示指示を携帯端末４０から受けた場合に、画像形成装置１０が行う処理について説明する。図１１は、画像形成装置１０が行う処理を示すフローチャートである。画像形成装置１０は、ＣＰＵ１１が、ＲＯＭ１２又はハードディスク装置１５等に記憶されたプログラムを実行することにより、図１１のフローチャートに示す処理を実現する。
【０１２８】
まず、画像形成装置１０は、補助画面の表示指示を受けるまで待って（ステップＳ００１；Ｎｏ）、表示指示を受けたら（ステップＳ００１；Ｙｅｓ）、該表示指示の送信元となる携帯端末４０と自装置との間の距離を調べる（ステップＳ００２）。
【０１２９】
自装置から携帯端末４０までの距離が閾値を越えている場合は（ステップＳ００２；Ｎｏ）、ステップＳ００１に戻って処理を継続する。自装置から携帯端末４０までの距離が閾値以下である場合は（ステップＳ００２；Ｙｅｓ）、自装置が使用中か否かを前述の方法で調べる（ステップＳ００３）。ステップＳ００２では、自装置と携帯端末４０との間の距離が一定以上の場合は、携帯端末４０を持つユーザが操作パネル３０を見る可能性が低いと判断し、補助画面の表示指示を無視している。
【０１３０】
自装置が使用中でなければ（ステップＳ００３；Ｎｏ）、補助画面を自装置の表示部３１に表示し（ステップＳ０１１）、本処理を終了する。
【０１３１】
自装置が使用中であるが（ステップＳ００３；Ｙｅｓ）、ジョブの実行中によるものであって操作部３２が使用されていなければ（ステップＳ００４；Ｎｏ）、補助画面をステータス情報６３とともに自装置の表示部３１に表示し（ステップＳ０１２）、本処理を終了する。
【０１３２】
操作部３２が使用中である場合（ステップＳ００４；Ｙｅｓ）は、補助画面の代理表示の送信先の候補となる他の画像形成装置１０があるか否かを調べる（ステップＳ００５）。補助画面の代理表示の送信先の候補となる画像形成装置１０が無い場合は（ステップＳ００５；Ｎｏ）、携帯端末４０に補助画面の表示、および代理表示が不可能であることを通知し（ステップＳ００６）、本処理を終了する。
【０１３３】
補助画面の代理表示の送信先の候補となる画像形成装置１０がある場合は（ステップＳ００５；Ｙｅｓ）、その台数を調べる（ステップＳ００７）。補助画面の代理表示の送信先の候補として検出された画像形成装置１０が１台の場合は（ステップＳ００７；Ｎｏ）、その画像形成装置１０に補助画面の代理表示を指示して（ステップＳ０１０）、本処理を終了する。
【０１３４】
補助画面の代理表示の送信先の候補となる他の画像形成装置１０を２台以上検出した場合は（ステップＳ００７；Ｙｅｓ）、携帯端末４０を介してユーザから関連補助画面６４の表示の許可を得た後、関連補助画面６４を生成する（ステップＳ００８）。そして前述の代理表示優先順位決定処理によって決定した各送信先に、関連補助画面６４の表示指示と補助画面の代理表示の指示を送信して（ステップＳ００９）、本処理を終了する。
【０１３５】
図１２は、自装置が省電力モードの状態か否かの場合も考慮した場合に、携帯端末４０から補助画面の表示指示を受けた画像形成装置１０が行う処理を示すフローチャートである。画像形成装置１０は、ＣＰＵ１１が、ＲＯＭ１２又はハードディスク装置１５等に記憶されたプログラムを実行することにより、図１２のフローチャートに示す処理を実現する。
【０１３６】
まず、画像形成装置１０は、補助画面の表示指示を受けるまで待って（ステップＳ１０１；Ｎｏ）、表示指示を受けたら（ステップＳ１０１；Ｙｅｓ）、該表示指示の送信元となる携帯端末４０と自装置との間の距離を調べる（ステップＳ１０２）。
【０１３７】
自装置から携帯端末４０までの距離が閾値を越えている場合は（ステップＳ１０２；Ｎｏ）、ステップＳ１０１に戻って処理を継続する。自装置から携帯端末４０までの距離が閾値以下である場合は（ステップＳ１０２；Ｙｅｓ）、自装置が省電力モードの状態か否かを調べる（ステップＳ１０３）。
【０１３８】
自装置が省電力モードの状態であれば（ステップＳ１０３；Ｙｅｓ）、操作パネル３０（表示部３１）での表示が可能となるように自装置の一部のみ省電力状態を解除し（ステップＳ１０４）、補助画面と電力モード情報６５を自装置の表示部３１に表示して（ステップＳ１０５）、本処理を終了する。
【０１３９】
自装置が通常電力モードの状態であれば（ステップＳ１０３；Ｎｏ）、その後、図１１のステップＳ００３以下と同様の処理を行う。
【０１４０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４１】
本発明の実施の形態では、ジョブ処理システム５を構成する画像形成装置１０は３台であったが、画像形成装置１０の台数はこれに限らない。また、本発明の実施の形態では、画像形成装置１０Ｂ、１０Ｃが、本発明の所定の外部装置としての役割を果たしたが、所定の外部装置は画像形成装置１０に限らず他の装置であってもよい。
【０１４２】
本発明の実施の形態では、ジョブ処理装置の例として画像形成装置１０を挙げて説明したが、ジョブ処理装置は画像形成装置１０に限らない。たとえば、ＣＰＵ１１と、ＲＯＭ１２と、ＲＡＭ１３と、不揮発メモリ１４と、画像処理部１６と、ネットワーク通信部２０と操作パネル３０で構成される画像処理装置などを、ジョブ処理装置としてもよい。また、実施の形態での画像形成装置１０としての機能を果たす単体のジョブ処理や、操作部と表示部とを備えるジョブ処理装置を実施の形態での画像形成装置１０のように機能させるプログラムも本発明に含まれる。
【０１４３】
本発明の実施の形態では、携帯端末４０は、印刷ジョブを投入するためのリモート操作画面６１を表示していたが、携帯端末４０が補助画面の表示指示を送信する場合に表示する画面はこれに限らない。印刷ジョブ以外のジョブを投入するための画面であってもよいし、ジョブの投入と関係のない画面であってもよい。
【０１４４】
本発明の実施の形態における具体例３の説明（図９の説明）では、画像形成装置１０Ａは、補助画面の表示指示を受けたとき、自装置の一部のみ省電力状態から復帰させていたが、省電力モードから通常電力モードに復帰させて、表示部３１に補助画面を表示してもよい。
【符号の説明】
【０１４５】
３…ＬＡＮ
５…ジョブ処理システム
１０（１０Ａ、１０Ｂ、１０Ｃ）…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２１…補助画面制御部
２２…デバイス距離取得部
２３…デバイス状態取得部
２４…連携デバイス管理部
３０（３０Ａ、３０Ｂ、３０Ｃ）…操作パネル
３１…表示部
３２…操作部
３３…スイッチ部
３４…タッチパネル部
４０…携帯端末
４１…ＣＰＵ
４２…ＲＯＭ
４３…ＲＡＭ
４４…不揮発メモリ
４５…ハードディスク装置
４６…ネットワーク通信部
４７…認証部
５０…操作表示部
５１…表示部
５２…操作部
５３…スイッチ部
５４…タッチパネル部
６０…ヘルプキー
６１…リモート操作画面
６２…ヘルプ画面
６３…ステータス情報
６４…関連補助画面
６５…電力モード情報
【図１】
2016159495.tif 000003
【図２】
2016159495.tif 000004
【図３】
2016159495.tif 000005
【図４】
2016159495.tif 000006
【図５】
2016159495.tif 000007
【図６】
2016159495.tif 000008
【図７】
2016159495.tif 000009
【図８】
2016159495.tif 000010
【図９】
2016159495.tif 000011
【図１０】
2016159495.tif 000012
【図１１】
2016159495.tif 000013
【図１２】
2016159495.tif 000014